【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、前記複数の室内機の暖房運転または運転停止を前記室内機毎に個別に設定するための運転設定手段と、暖房運転にあたり前記複数の室内機のうち前記運転設定手段により設定された運転停止に係る前記室内機に対応した前記絞り装置を全閉または全閉よりも大きな開度に選択的に設定する非暖房運転時絞り開度設定手段とを設けたことを特徴とする空気調和装置。
【請求項２】
非暖房運転時絞り開度設定手段は、複数の室内機の絞り装置を個別に開度設定変更可能に構成されていることを特徴とする請求項第１項に記載の空気調和装置。
【請求項３】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し前記複数の室内機と並列に接続される補助用熱源機と、前記複数の室内機のうち少なくとも１台以上が暖房運転している場合に、暖房運転していない前記室内機に対応した前記絞り装置を全閉にし、かつ、前記補助用熱源機の前記補助絞り装置を全閉よりも大きな開度にする絞り開度併合制御手段とを設けたことを特徴とする空気調和装置。
【請求項４】
圧縮機の吐出温度を検知する吐出温度検知手段と、前記吐出温度検知手段により検知された吐出温度が予め設定されている所定温度より高くなった場合に、補助用熱源機の補助絞り装置を現在の開度よりも大きくする補助絞り開度制御手段とを設けたことを特徴とする請求項第３項に記載の空気調和装置。
【請求項５】
補助絞り装置設置の存否を設定する補助絞り装置設定手段と、暖房運転にあたり、前記補助絞り装置設定手段により前記補助絞り装置が存在すると設定された場合には絞り開度併合制御手段による制御を有効とし、前記補助絞り装置設定手段により前記補助絞り装置が存在しないと設定された場合には複数の室内機のうち運転停止に係る前記室内機に対応した絞り装置を個別に全閉または全閉よりも大きな開度にする制御を有効とする制御切換手段とを設けたことを特徴とする請求項第３項に記載の空気調和装置。
【請求項６】
熱源機を構成する圧縮機、四方切換弁、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、暖房運転中に前記四方切換弁の冷媒流路を切り替えて除霜運転を行う除霜運転制御手段と、前記除霜運転中に停止している前記室内機の前記絞り装置を個別に全閉または全閉よりも大きな開度に設定する除霜時絞り開度設定手段とを設けたことを特徴とする空気調和装置。
【請求項７】
熱源機を構成する圧縮機、四方切換弁、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し前記複数の室内機と並列に接続される補助用熱源機と、暖房運転中に前記四方切換弁の冷媒流路を切り替えて除霜運転を行う除霜運転制御手段と、前記除霜運転中に前記複数の室内機の絞り装置を全閉とし、かつ、前記補助用熱源機の前記補助絞り装置を全閉よりも大きな開度にする除霜時絞り開度併合制御手段とを設けたことを特徴とする空気調和装置。
【請求項８】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、前記複数の室内機の暖房運転または運転停止を前記室内機毎に個別に設定するための運転設定手段と、前記運転設定手段により設定された暖房運転に係る室内機側熱交換器全ての総量を算出する熱交換器容量算出手段と、前記熱交換器容量算出手段により算出された暖房運転に係る前記室内機側熱交換器の総量に応じて、運転停止に係る前記室内機に対応した前記絞り装置の開度を全閉または全閉よりも大きな開度に選択的に設定する絞り開度設定手段とを設けたことを特徴とする空気調和装置。
【請求項９】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し前記複数の室内機と並列に接続される補助用熱源機と、前記補助絞り装置の設置に係る存否を手動により設定可能な補助絞り装置手動設定手段と、前記補助絞り装置手動設定手段により前記補助絞り装置が存在すると設定された場合には前記補助絞り装置を現在の開度よりも大きくする制御を有効とし、前記補助絞り装置手動設定手段により前記補助絞り装置が存在しないと設定された場合には複数の室内機のうち運転停止している前記室内機に対応した絞り装置を個別に全閉または全閉よりも大きな開度にする制御を有効とすると設定されたにもかかわらず、前記補助絞り装置および前記室内機全ての前記絞り装置をいずれも全閉とする制御しか存在しないと判断した場合には、圧縮機の起動を禁止する圧縮機起動禁止手段とを設けたことを特徴とする空気調和装置。
【請求項１０】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、前記複数の室内機の暖房運転または運転停止を前記室内機毎に個別に設定するための運転設定手段と、前記複数の室内機のうち一部が暖房運転していない場合に、暖房運転していない前記室内機全てに対応した前記絞り装置の開度を、全閉よりも大きな第１の所定開度とする第１の絞り開度制御手段と、前記暖房運転していない室内機の少なくとも１台以上に対応した前記絞り装置の開度を全閉または前記第１の所定開度よりも小さな第２の所定開度とする第２の絞り開度制御手段と、前記第１の絞り開度制御手段による制御と前記第２の絞り開度制御手段による制御とを選択的に設定する制御選択手段と、暖房運転していない前記室内機全ての前記絞り装置の開度を前記第１の所定開度および前記第２の所定開度よりも大きな第３の所定開度とする第３の絞り開度制御手段と、前記第３の絞り開度制御手段による制御を実行しない最低時間間隔を、前記制御選択手段により前記第１の絞り開度制御手段の制御が選択された場合は第１の時間間隔とし、前記第２の絞り開度制御手段の制御が選択された場合は前記第１の時間間隔よりも短い第２の時間間隔とする冷媒回収禁止制御手段とを設けたことを特徴とする空気調和装置。
【請求項１１】
熱源機を構成する圧縮機、熱源機側熱交換器と、前記熱源機に対し並列に接続される複数の室内機をそれぞれ構成する開度可変の絞り装置、室内機側熱交換器とを順次配管接続してなる冷媒回路を備えた空気調和装置において、前記複数の室内機の暖房運転または運転停止を前記室内機毎に個別に設定するための運転設定手段と、前記複数の室内機のうち一部が暖房運転していない場合に、暖房運転していない前記室内機全てに対応した前記絞り装置の開度を全閉よりも大きな第１の所定開度とする第１の絞り開度制御手段と、前記暖房運転していない室内機の少なくとも１台以上に対応した前記絞り装置の開度を、全閉または前記第１の所定開度よりも小さな第２の所定開度とする第２の絞り開度制御手段と、暖房運転していない前記室内機全ての前記絞り装置の開度を前記第１の所定開度および前記第２の所定開度よりも大きな第３の所定開度とする第３の絞り開度制御手段と、前記第１の絞り開度制御手段による制御と前記第２の絞り開度制御手段による制御とを選択的に設定する制御選択手段と、前記制御選択手段により前記第１の絞り開度制御手段の制御が選択された場合は暖房運転していない前記室内機全てに対応した前記絞り装置を制御対象として設定し、前記第２の絞り開度制御手段の制御が選択された場合は暖房運転していない前記室内機に予め付与されている優先順位に基づいて前記室内機毎の前記絞り装置を制御対象として設定する制御対象設定手段と、前記第３の絞り開度制御手段による制御を実行しない最低時間間隔を、前記制御選択手段により前記第１の絞り開度制御手段の制御が選択された場合は第１の時間間隔とし、前記第２の絞り開度制御手段の制御が選択された場合は前記第１の時間間隔よりも短い第２の時間間隔とする冷媒回収禁止制御手段とを設けたことを特徴とする空気調和装置。
【請求項１２】
優先順位は、室内機が運転停止している連続時間と、前記室内機毎に予め付与されている前記室内機の背番号の順番とに基づいて決定されることを特徴とする請求項第１１項に記載の空気調和装置。
【手続補正２】
【補正対象書類名】明細書
【補正対象項目名】０００５
【補正方法】変更
【補正の内容】
【０００５】
【課題を解決するための手段】
上述の目的を達成するために、この発明は以下の手段を講じたものである。
すなわち、この発明の請求項１に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、複数の室内機の暖房運転または運転停止を室内機毎に個別に設定するための運転設定手段と、暖房運転にあたり複数の室内機のうち運転設定手段により設定された運転停止に係る室内機に対応した絞り装置を全閉または全閉よりも大きな開度に選択的に設定する非暖房運転時絞り開度設定手段とを設けたものである。
但し、「運転停止」とは、広義には非暖房運転を意味し、完全な「停止」、「送風」、「サーモオフ状態での暖房」などを含む。そして、「開度可変の絞り装置」としては、開度を連続的に変えられるリニア膨張弁のみならず、例えば全閉と全開に択一的に変えられる電磁弁なども含まれる。


【手続補正３】
【補正対象書類名】明細書
【補正対象項目名】０００７
【補正方法】変更
【補正の内容】
【０００７】
そして、この発明の請求項３に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し複数の室内機と並列に接続される補助用熱源機と、複数の室内機のうち少なくとも１台以上が暖房運転している場合に、暖房運転していない室内機に対応した絞り装置を全閉にし、かつ、補助用熱源機の補助絞り装置を全閉よりも大きな開度にする絞り開度併合制御手段とを設けたものである。


【手続補正４】
【補正対象書類名】明細書
【補正対象項目名】００１０
【補正方法】変更
【補正の内容】
【００１０】
そして、この発明の請求項６に係る空気調和装置は、熱源機を構成する圧縮機、四方切換弁、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、暖房運転中に四方切換弁の冷媒流路を切り替えて除霜運転を行う除霜運転制御手段と、除霜運転中に停止している室内機の絞り装置を個別に全閉または全閉よりも大きな開度に設定する除霜時絞り開度設定手段とを設けたものである。


【手続補正５】
【補正対象書類名】明細書
【補正対象項目名】００１１
【補正方法】変更
【補正の内容】
【００１１】
更に、この発明の請求項７に係る空気調和装置は、熱源機を構成する圧縮機、四方切換弁、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し複数の室内機と並列に接続される補助用熱源機と、暖房運転中に四方切換弁の冷媒流路を切り替えて除霜運転を行う除霜運転制御手段と、除霜運転中に複数の室内機の絞り装置を全閉とし、かつ、補助用熱源機の補助絞り装置を全閉よりも大きな開度にする除霜時絞り開度併合制御手段とを設けたものである。


【手続補正６】
【補正対象書類名】明細書
【補正対象項目名】００１２
【補正方法】変更
【補正の内容】
【００１２】
また、この発明の請求項８に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、複数の室内機の暖房運転または運転停止を室内機毎に個別に設定するための運転設定手段と、運転設定手段により設定された暖房運転に係る室内機側熱交換器全ての総量を算出する熱交換器容量算出手段と、熱交換器容量算出手段により算出された暖房運転に係る室内機側熱交換器の総量に応じて、運転停止に係る室内機に対応した絞り装置の開度を全閉または全閉よりも大きな開度に選択的に設定する絞り開度設定手段とを設けたものである。
但し、「室内機側熱交換器の総量」とは、室内機側熱交換器個々の熱交換容量を総和した合計容量のみならず、室内機側熱交換器の合計台数なども含んでいる。


【手続補正７】
【補正対象書類名】明細書
【補正対象項目名】００１３
【補正方法】変更
【補正の内容】
【００１３】
そして、この発明の請求項９に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、開度可変の補助絞り装置、補助熱交換器を有し複数の室内機と並列に接続される補助用熱源機と、補助絞り装置の設置に係る存否を手動により設定可能な補助絞り装置手動設定手段と、補助絞り装置手動設定手段により補助絞り装置が存在すると設定された場合には補助絞り装置を現在の開度よりも大きくする制御を有効とし、補助絞り装置手動設定手段により補助絞り装置が存在しないと設定された場合には複数の室内機のうち運転停止している室内機に対応した絞り装置を個別に全閉または全閉よりも大きな開度にする制御を有効とすると設定されたにもかかわらず、補助絞り装置および室内機全ての絞り装置をいずれも全閉とする制御しか存在しないと判断した場合には、圧縮機の起動を禁止する圧縮機起動禁止手段とを設けてある。


【手続補正８】
【補正対象書類名】明細書
【補正対象項目名】００１４
【補正方法】変更
【補正の内容】
【００１４】
更に、この発明の請求項１０に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、複数の室内機の暖房運転または運転停止を室内機毎に個別に設定するための運転設定手段と、複数の室内機のうち一部が暖房運転していない場合に、暖房運転していない室内機全てに対応した絞り装置の開度を、全閉よりも大きな第１の所定開度とする第１の絞り開度制御手段と、暖房運転していない室内機の少なくとも１台以上に対応した絞り装置の開度を全閉または第１の所定開度よりも小さな第２の所定開度とする第２の絞り開度制御手段と、第１の絞り開度制御手段による制御と第２の絞り開度制御手段による制御とを選択的に設定する制御選択手段と、暖房運転していない室内機全ての絞り装置の開度を第１の所定開度および第２の所定開度よりも大きな第３の所定開度とする第３の絞り開度制御手段と、第３の絞り開度制御手段による制御を実行しない最低時間間隔を、制御選択手段により第１の絞り開度制御手段の制御が選択された場合は第１の時間間隔とし、第２の絞り開度制御手段の制御が選択された場合は第１の時間間隔よりも短い第２の時間間隔とする冷媒回収禁止制御手段とを設けたものである。


【手続補正９】
【補正対象書類名】明細書
【補正対象項目名】００１５
【補正方法】変更
【補正の内容】
【００１５】
また、この発明の請求項１１に係る空気調和装置は、熱源機を構成する圧縮機、熱源機側熱交換器と、熱源機に対し並列に接続される複数の室内機をそれぞれ構成する開度可変の絞り装置、室内機側熱交換器とを順次配管接続してなる冷媒回路を備えた空気調和装置において、複数の室内機の暖房運転または運転停止を室内機毎に個別に設定するための運転設定手段と、複数の室内機のうち一部が暖房運転していない場合に、暖房運転していない室内機全てに対応した絞り装置の開度を全閉よりも大きな第１の所定開度とする第１の絞り開度制御手段と、暖房運転していない室内機の少なくとも１台以上に対応した絞り装置の開度を、全閉または第１の所定開度よりも小さな第２の所定開度とする第２の絞り開度制御手段と、暖房運転していない室内機全ての絞り装置の開度を第１の所定開度および第２の所定開度よりも大きな第３の所定開度とする第３の絞り開度制御手段と、第１の絞り開度制御手段による制御と第２の絞り開度制御手段による制御とを選択的に設定する制御選択手段と、制御選択手段により第１の絞り開度制御手段の制御が選択された場合は暖房運転していない室内機全てに対応した絞り装置を制御対象として設定し、第２の絞り開度制御手段の制御が選択された場合は暖房運転していない室内機に予め付与されている優先順位に基づいて室内機毎の絞り装置を制御対象として設定する制御対象設定手段と、第３の絞り開度制御手段による制御を実行しない最低時間間隔を、制御選択手段により第１の絞り開度制御手段の制御が選択された場合は第１の時間間隔とし、第２の絞り開度制御手段の制御が選択された場合は第１の時間間隔よりも短い第２の時間間隔とする冷媒回収禁止制御手段とを設けたものである。